(57)【要約】【課題】覆われて外方から視認できないチリを直接、高精度に、且つ容易に計測できる扉のチリ測定方法及び扉のチリ測定装置を提供する。【解決手段】閉扉した状態において、扉１３の外周端面２３と枠１７の扉対向面２５とのチリ１５にＬ字計測治具３５の先端折曲側の測定子４１を配置する手順と、Ｌ字計測治具３５の基部３９を扉面２９と平行とし、チリ１５における扉１３の外周端面２３に測定子４１を当て基準位置を定める手順と、基部３９を扉面２９と平行に移動して、測定子４１をチリ１５における枠１７の扉対向面２５に当ててＬ字計測治具３５の移動位置を定める手順と、基準位置から移動位置までの距離を求めることによって外方から視認できない外周端面２３と扉対向面２５までのチリ１５を求める手順と、を含む。【選択図】  図１
2013134121.tif 000002
【特許請求の範囲】
【請求項１】
閉扉した状態において、扉の外周端面と枠の扉対向面若しくは前記扉対向面に設けられるストライクとのチリにＬ字計測治具の先端折曲側の測定子を配置する手順と、
前記Ｌ字計測治具の基部を扉面と平行とし、前記チリにおける扉の外周端面と枠の扉対向面若しくは前記扉対向面に設けられるストライクとのいずれか一方の面に前記測定子を当て基準位置を定める手順と、
前記基部を前記扉面と平行に移動して、前記測定子を前記チリにおける前記扉の外周端面と前記枠の扉対向面若しくは前記扉対向面に設けられるストライクとのいずれか他方の面に当てて前記Ｌ字計測治具の移動位置を定める手順と、
前記基準位置から前記移動位置までの距離を求めることによって外方から視認できない前記外周端面と前記扉対向面若しくは前記扉対向面に設けられるストライクまでのチリを求める手順と、  
を含むことを特徴とする扉のチリ測定方法。
【請求項２】
扉面に平行に当てられるＬ字計測治具の基部と、
前記基部の先端折曲側に形成され扉の外周端面と前記扉を開閉自在に支持する枠に形成される扉対向面若しくは前記扉対向面に設けられるストライクとの間の外方から視認できない前記外周端面と前記扉対向面との間に挿入される測定子と、
を具備することを特徴とする扉のチリ測定装置。
【請求項３】
請求項２記載の扉のチリ測定装置であって、
前記基部が、前記扉面に宛がわれる板状の支持ベースにスライド自在に保持されることを特徴とする扉のチリ測定装置。
【請求項４】
請求項３記載の扉のチリ測定装置であって、
前記支持ベースの前記扉面に対向するベース裏面側には粘着面が設けられていることを特徴とする扉のチリ測定装置。
【請求項５】
請求項３または４記載の扉のチリ測定装置であって、
前記支持ベースの先端折曲側には前記扉の外周端面に当てられるＬ字当接片が形成されていることを特徴とする扉のチリ測定装置。
【請求項６】
請求項３，４，５のいずれか１つに記載の扉のチリ測定装置であって、
前記基部と前記支持ベースとには相対変位量を読み取る目盛りが設けられていることを特徴とする扉のチリ測定装置。
【請求項７】
請求項２，３，４，５，６のいずれか１つに記載の扉のチリ測定装置であって、
前記基部と前記測定子との間に、前記扉から前記扉面と平行に突出する鍔部を跨ぐＵ字状に折り曲げられる回避部が設けられていることを特徴とする扉のチリ測定装置。
【請求項８】
請求項５または６記載の扉のチリ測定装置であって、
前記基部と前記測定子との間に、及び前記支持ベースのベース基部と前記Ｌ字当接片との間に、前記扉から前記扉面と平行に突出する鍔部を跨ぐＵ字状に折り曲げられる回避部が設けられていることを特徴とする扉のチリ測定装置。
【発明の詳細な説明】
【技術分野】
【０００１】
本発明は、扉の外周端面と扉を開閉自在に支持する建物側の枠の扉対向面との間の閉扉時に外方から視認できなくなる隙間寸法であるチリを求める扉のチリ測定方法及び扉のチリ測定装置に関する。
【背景技術】
【０００２】
隙間の寸法を測定する計測器としては、ノギスの他、特許文献１や特許文献２に開示される隙間ゲージが知られている。これら従来の計測器は、表出して目視可能な隙間に対して、測定子やプローブを挿入したり、或いは光などを隙間に向けて出射したりすることで計測が行われる。
【先行技術文献】
【特許文献】
【０００３】
【特許文献１】特開平８−３０４０６１号公報
【特許文献２】特開２００９−２５７８８１号公報
【発明の概要】
【発明が解決しようとする課題】
【０００４】
枠に支持される扉は、閉扉されることにより、扉の外周端面と、枠の扉対向面までの隙間の寸法がチリとなる。このチリは、錠のデッドボルトの掛かり代、パッキン位置の調整のために把握必要な寸法となる。また、扉を対震構造とした場合、ストライクには枠から浮く構造の対震ストライクが使用される。このような対震構造では、扉と枠とのチリと、ストライクとフロント板とのチリが異なり、枠へ扉を組み付けた後に、微調整が必要となる。
これらの調整作業は、チリを測定しながら、例えば吊元となる蝶番などを調整する。
【０００５】
ところが、屋内側からチリを計測しようとすると、通常、枠には戸当たりを構成する段部が形成されており、さらに、音鳴りの防止や気密性の向上のためのパッキンが設けられる。このため、扉の外周端面と、枠の扉対向面との間のチリは、屋内側からは視認できなくなる。
【０００６】
一方、屋外側からチリを計測しようとすると、防犯用として扉に設けられる短冊形状の板材よりなるガードプレートが視認の妨げとなる。ガードプレートは、少なくとも錠前とストライクとの間の隙間部分を表出させないように設けられるためである。さらに、近年では、防犯性の一層の向上、煙返し構造などの目的で、屋外側の扉の周囲縁部に戸先に限らず全周に鍔部の形成されることが多い。この鍔部によってチリが覆われることで、扉としての機能は向上するが、従来のノギスや隙間ゲージは使うことができない。
【０００７】
このような事情から扉のチリが正確に計測されないと、扉構造の精度を落とす原因となり、施錠状態が確実とならない不具合や、位置精度不良による電気錠の誤作動などを発生させる原因となる。
【０００８】
本発明は上記状況に鑑みてなされたもので、その目的は、覆われて外方から視認できない扉と枠との間隙寸法であるチリを直接、高精度に、且つ容易に計測できる扉のチリ測定方法及び扉のチリ測定装置を提供することにある。
【課題を解決するための手段】
【０００９】
次に、上記の課題を解決するための手段を、実施の形態に対応する図面を参照して説明する。
本発明の請求項１記載の扉１３のチリ測定方法は、閉扉した状態において、扉１３の外周端面２３と枠１７の扉対向面２５若しくは前記扉対向面２５に設けられるストライク５５とのチリ１５にＬ字計測治具３５の先端折曲側の測定子４１を配置する手順と、
前記Ｌ字計測治具３５の基部３９を扉面２９と平行とし、前記チリ１５における扉１３の外周端面２３と枠１７の扉対向面２５若しくは前記扉対向面２５に設けられるストライク５５とのいずれか一方の面に前記測定子４１を当て基準位置を定める手順と、
前記基部３９を前記扉面２９と平行に移動して、前記測定子４１を前記チリ１５における前記扉１３の外周端面２３と前記枠１７の扉対向面２５若しくは前記扉対向面２５に設けられるストライク５５とのいずれか他方の面に当てて前記Ｌ字計測治具３５の移動位置を定める手順と、
前記基準位置から前記移動位置までの距離を求めることによって外方から視認できない前記外周端面２３と前記扉対向面２５若しくは前記扉対向面２５に設けられるストライク５５までのチリ１５を求める手順と、  
を含むことを特徴とする。
【００１０】
この扉１３のチリ測定方法では、まず、閉扉した状態での扉１３の外周端面２３と枠１７の扉対向面２５若しくは扉対向面２５に設けられるストライク５５とのチリ１５にＬ字計測治具３５の測定子４１が位置した状態とする。例えば、基部３９を扉面２９に当接し、扉１３を閉める。測定子４１は、外周端面２３と扉対向面２５若しくは扉対向面２５に設けられるストライク５５との間に配置される。扉１３を閉めたまま扉１３に対するＬ字計測治具３５の基準位置を定める。例えば測定子４１を扉１３の外周端面２３に当てる。そして、基部３９の特定位置に一致する基準位置を扉面２９に記す。次いで、Ｌ字計測治具３５を枠１７に接近する方向に扉面２９と平行に直線移動して測定子４１を枠１７の扉対向面２５に当てる。そのときの基部３９における上記の特定位置を扉面２９に移動位置として記す。これにより、視認できないチリ１５であっても、チリ１５が基準位置と移動位置との間に転記される。次いで、基準位置と移動位置との間の距離を例えばメジャーによって計測することで、チリ１５が求められる。
【００１１】
本発明の請求項２記載の扉１３のチリ測定装置６１は、扉面２９に平行に当てられるＬ字計測治具３５の基部３９と、
前記基部３９の先端折曲側に形成され扉１３の外周端面２３と前記扉１３を開閉自在に支持する枠１７に形成される扉対向面２５若しくは前記扉対向面２５に設けられるストライクとの間の外方から視認できない前記外周端面２３と前記扉対向面２５との間に挿入される測定子４１と、
を具備することを特徴とする。
【００１２】
この扉１３のチリ測定装置６１では、Ｌ字計測治具３５が、短冊状に形成される基部３９の長手方向一端側に、測定子４１を直角に折曲して形成される。従って、Ｌ字計測治具３５は、測定子４１が扉１３の外周端面２３、基部３９が扉面２９に同時に当接可能となる。扉１３が閉められた際、扉１３は、枠１７の扉当たり１９に扉面２９が当たる。基部３９は、扉面２９と扉当たり１９とに挟まれるが、薄板状に形成されることで移動が可能となる。閉扉状態において、チリ１５は外方から視認されなくなる。このチリ１５には測定子４１が、外周端面２３に当接した状態で配置される。また、測定子４１を外周端面２３に当接したＬ字計測治具３５は、基部３９が扉面２９に宛がわれた状態で視認可能となる。これにより、扉１３に対するＬ字計測治具３５の基準位置が特定される。この状態から、Ｌ字計測治具３５は、測定子４１が扉対向面２５に当たるまで直線移動される。Ｌ字計測治具３５が直線移動されることで、基部３９は、基準位置からチリ１５の分、移動された移動位置に配置されることになる。
【００１３】
本発明の請求項３記載の扉１３のチリ測定装置１１は、請求項２記載の扉１３のチリ測定装置１１であって、
前記基部３９が、前記扉面２９に宛がわれる板状の支持ベース３７にスライド自在に保持されることを特徴とする。
【００１４】
この扉１３のチリ測定装置１１では、支持ベース３７が例えば手指によって扉面２９に固定されることで、Ｌ字計測治具３５が、直線方向に高精度に且つスムースに移動可能となる。
【００１５】
本発明の請求項４記載の扉１３のチリ測定装置１１は、請求項３記載の扉１３のチリ測定装置１１であって、
前記支持ベース３７の前記扉面２９に対向するベース裏面側には粘着面が設けられていることを特徴とする。
【００１６】
この扉１３のチリ測定装置１１では、粘着面が扉面２９に接着することで、手指により支えなくとも、支持ベース３７が扉面２９に固定可能となる。
【００１７】
本発明の請求項５記載の扉１３のチリ測定装置１１は、請求項３または４記載の扉１３のチリ測定装置１１であって、
前記支持ベース３７の先端折曲側には前記扉１３の外周端面２３に当てられるＬ字当接片４９が形成されていることを特徴とする。
【００１８】
この扉１３のチリ測定装置１１では、支持ベース３７のベース基部先端側に、垂直に折曲されたＬ字当接片４９が形成され、このＬ字当接片４９が扉面２９の外周端面２３に当てられることで、支持ベース３７が外周端面２３からの所定位置に容易に位置決め可能となる。
【００１９】
本発明の請求項６記載の扉１３のチリ測定装置１１は、請求項３，４，５のいずれか１つに記載の扉１３のチリ測定装置１１であって、
前記基部３９と前記支持ベース３７とには相対変位量を読み取る目盛り５１が設けられていることを特徴とする。
【００２０】
この扉１３のチリ測定装置１１では、支持ベース３７が扉１３に固定され、Ｌ字計測治具３５が測定子４１を扉１３の外周端面２３に当てることで、Ｌ字計測治具３５の基準位置が目盛り５１によって読み取られる。次いで、Ｌ字計測治具３５の測定子４１が扉対向面２５に当たる位置まで移動された移動位置が目盛り５１によって読み取られる。これら読み取られた値の差を求めることでチリ１５が得られる。
【００２１】
本発明の請求項７記載の扉１３のチリ測定装置７１は、請求項２，３，４，５，６のいずれか１つに記載の扉１３のチリ測定装置７１であって、
前記基部３９と前記測定子４１との間に、前記扉１３から前記扉面２９と平行に突出する鍔部３１を跨ぐＵ字状に折り曲げられる回避部６９が設けられていることを特徴とする。
【００２２】
この扉１３のチリ測定装置７１では、屋外側の扉面２９にＬ字計測治具６７の基部３９が宛がわれ、基部３９に設けられるＵ字状の回避部６９が、扉面２９から平行に突出した鍔部３１を囲むようにして跨ぐ。これにより、回避部６９の先端側に設けられた測定子４１が、鍔部３１によって視認されなくなったチリ１５に配置可能となる。
【００２３】
本発明の請求項８記載の扉１３のチリ測定装置７１は、請求項５または６記載の扉１３のチリ測定装置７１であって、
前記基部３９と前記測定子４１との間に、及び前記支持ベース７３のベース基部４３と前記Ｌ字当接片４９との間に、前記扉１３から前記扉面２９と平行に突出する鍔部３１を跨ぐＵ字状に折り曲げられる回避部６９が設けられていることを特徴とする。
【００２４】
この扉１３のチリ測定装置７１では、屋外側の扉面２９に支持ベース７３のベース基部４３が宛がわれ、ベース基部４３に設けられるＵ字状の回避部６９が、扉面２９から平行に突出した鍔部３１を囲むようにして跨ぐ。これにより、回避部６９の先端側に設けられたＬ字当接片４９が、鍔部３１によって視認されなくなったチリ１５に配置可能となる。
【発明の効果】
【００２５】
本発明に係る請求項１記載の扉のチリ測定方法によれば、覆われて外方から視認できないチリを直接、高精度に、且つ容易に計測できる。
【００２６】
本発明に係る請求項２記載の扉のチリ測定装置によれば、覆われて外方から視認できないチリを直接、高精度に、且つ容易に計測できる。
【００２７】
本発明に係る請求項３記載の扉のチリ測定装置によれば、Ｌ字計測治具をチリの離間方向に高精度に直線移動できる。
【００２８】
本発明に係る請求項４記載の扉のチリ測定装置によれば、Ｌ字計測治具を位置ずれさせずに高精度に直線移動できる。
【００２９】
本発明に係る請求項５記載の扉のチリ測定装置によれば、支持ベースを扉の外周端面に対する所定位置に位置決めでき、Ｌ字計測治具の基準位置、移動位置を高精度且つ容易に求めることができる。
【００３０】
本発明に係る請求項６記載の扉のチリ測定装置によれば、基部と支持ベースとの相対変位量、すなわちチリを、メジャー等の他の計測具を使用せずに容易に求めることができる。
【００３１】
本発明に係る請求項７記載の扉のチリ測定装置によれば、鍔部によってチリが扉の屋外側から視認できない場合であっても、鍔部を跨いでＬ字計測治具の測定子を扉の屋外側からチリに配置できる。
【００３２】
本発明に係る請求項８記載の扉のチリ測定装置によれば、鍔部によって扉の外周端面が扉の屋外側から視認できない場合であっても、鍔部を跨いで支持ベースのＬ字当接片を屋外側から扉の外周端面に当てることができる。
【図面の簡単な説明】
【００３３】
【図１】本発明に係る扉のチリ測定装置を扉と枠とともに表した斜視図である。
【図２】図１の平断面図である。
【図３】図１の正面図である。
【図４】図１に示した扉のチリ測定装置の斜視図である。
【図５】目盛りの位置が異なる変形例に係る扉のチリ測定装置の斜視図である。
【図６】対震ストライクが設けられた場合のチリ近傍の平断面図である。
【図７】図６の正面図である。
【図８】扉開放時の動作説明図である。
【図９】閉扉状態の動作説明図である。
【図１０】Ｌ字計測治具移動時の動作説明図である。
【図１１】（ａ）は支持ベースにＬ字当接片が無いチリ測定装置の変形例の斜視図、（ｂ）は（ａ）の目盛りの位置が異なるチリ測定装置の変形例の斜視図、（ｃ）は目盛りが支持ベースに設けられるチリ測定装置の斜視図、（ｄ）は目盛りが基部に設けられるチリ測定装置の斜視図である。
【図１２】屋内用として使用される基本構成のチリ測定装置の斜視図である。
【図１３】屋外用として使用される基本構成のチリ測定装置の斜視図である。
【図１４】（ａ）は他の実施例に係る屋外用のチリ測定装置を表面側から見た斜視図、（ｂ）は（ａ）を背面側から見た斜視図である。
【図１５】図１４のチリ測定装置を扉と枠とともに表した平断面図である。
【図１６】図１５の正面図である。
【図１７】屋外側の扉面に取り付けられた回避部を備えるチリ測定装置の動作説明図である。
【図１８】Ｌ字計測治具スライド途中の図１７に示したチリ測定装置の動作説明図である。
【図１９】対震ストライクが設けられた場合のチリ近傍の平断面図である。
【図２０】図１９の正面図である。
【発明を実施するための形態】
【００３４】
以下、本発明に係る実施形態を図面を参照して説明する。
図１は本発明に係る扉のチリ測定装置を扉と枠とともに表した斜視図、図２は図１の平断面図、図３は図１の正面図である。
本実施形態に係るチリ測定装置１１の説明に先立ち、扉１３のチリ１５について説明する。建物側に固定される枠１７には、扉１３が開閉自在に支持される。枠１７には扉１３の閉止側に扉当たり１９が形成される。この扉当たり１９には一般的にパッキン２１が設けられる。枠１７は、扉１３の外周端面２３と対向する面が、扉対向面２５となる。これら外周端面２３から扉対向面２５までの隙間寸法がチリ１５となる。枠１７は、扉対向面２５と扉当たり１９とによって段部２７が形成される。さらに、扉１３の屋外側には、扉１３から扉面２９と平行に突出する鍔部３１が形成される。枠１７には、この鍔部３１を収容する屋外側段部３３が形成される。扉１３が閉められると、チリ１５は、これら扉当たり１９や鍔部３１によって屋内側及び屋外側の双方から視認できなくなる。本発明に係るチリ測定装置はこのチリ１５を計測するものである。
【００３５】
本実施形態に係るチリ測定装置１１は、チリ１５を屋内側から計測するのに好適となる。チリ測定装置１１は、Ｌ字計測治具３５と、支持ベース３７と、によって構成される。Ｌ字計測治具３５及び支持ベース３７は、紙や厚みの薄い樹脂板、薄厚の金属板などによって形成される。Ｌ字計測治具３５は、扉面２９に平行に当てられる短冊状の基部３９と、この基部３９の先端側で直角に折り曲げられる測定子４１と、からなる。測定子４１は、基部３９の先端折曲側に形成され、外方から視認できない外周端面２３と扉対向面２５との間に挿入される。
【００３６】
Ｌ字計測治具３５の基部３９は、扉面２９に宛がわれる板状の支持ベース３７にスライド自在に保持される。支持ベース３７のベース基部４３には図２に示す基部ガイド４５が形成される。基部ガイド４５は、ベース基部４３の中央部を張り出して形成し、その両側に基部３９の挿通されるスリット４７（図４参照）が開口されて形成される。Ｌ字計測治具３５を支持ベース３７で支持したチリ測定装置１１は、支持ベース３７が例えば手指によって扉面２９に固定されることで、Ｌ字計測治具３５が、直線方向に高精度に且つスムースに移動可能となる。このように、チリ測定装置１１では、Ｌ字計測治具３５をチリ１５の離間方向に高精度に直線移動できるようになっている。
【００３７】
支持ベース３７の先端折曲側には扉１３の外周端面２３に当てられるＬ字当接片４９が形成されている。支持ベース３７のベース基部先端側に、垂直に折曲されたＬ字当接片４９が形成され、このＬ字当接片４９が扉面２９の外周端面２３に当てられることで、支持ベース３７が常に外周端面２３からの所定位置に位置決め可能となる。これにより、支持ベース３７を扉１３の外周端面２３に対する所定位置に位置決めでき、Ｌ字計測治具３５の基準位置、移動位置を高精度且つ容易に求めることができる。
【００３８】
チリ測定装置１１は、支持ベース３７の扉面２９に対向するベース裏面側に、粘着面（図示せず）が設けられていることが好ましい。粘着面が扉面２９に接着することで、手指により支えなくとも、支持ベース３７が扉面２９に固定可能となる。これより、Ｌ字計測治具３５を位置ずれさせずに高精度に直線移動できる。
【００３９】
図４は図１に示したチリ測定装置１１の斜視図、図５は目盛り５１の位置が異なる変形例に係るチリ測定装置１１の斜視図である。
チリ測定装置１１は、基部３９と支持ベース３７とに、相対変位量を読み取る目盛り５１が設けられている。本実施形態の目盛り５１はＬ字計測治具３５の基部３９に設けられている。目盛り５１は、図４に示すように、基部ガイド４５を挟んで測定子４１の反対側に設けられてもよく、図５に示すように、基部ガイド４５の測定子側に設けられてもよい。目盛り５１は、基部ガイド４５の例えば縁部と一致する値が読み取られる。つまり、図４，図５に示す例では、基部ガイド４５の縁部がＬ字計測治具３５の位置を求める指針５３となる。
【００４０】
図６は対震ストライク５５が設けられた場合のチリ近傍の平断面図、図７は図６の正面図である。
枠１７にはストライクである対震ストライク５５が設けられる場合がある。対震ストライク５５は、ラッチデッドボルト５６の進入する係止穴５７の穿設された係止板部５９が扉対向面２５から浮上するように嵩上げされている。対震ストライク５５は、地震などの外力によって係止板部５９が扉対向面２５に接近する方向に変形可能となる。この対震ストライク５５が設けられる扉構造では、Ｌ字計測治具３５の測定子４１が対震ストライク５５の係止板部５９に当てられることで、扉１３と対震ストライク５５までのチリ１５が計測可能となる。
【００４１】
次に、上記チリ測定装置１１の作用と、チリ測定装置１１を使用したチリ測定方法を説明する。
図８は扉開放時の動作説明図、図９は閉扉状態の動作説明図、図１０はＬ字計測治具移動時の動作説明図である。
チリ測定装置１１では、Ｌ字計測治具３５が、短冊状に形成される基部３９の長手方向一端側に、測定子４１を直角に折曲して形成される。従って、Ｌ字計測治具３５は、測定子４１が扉１３の外周端面２３、基部３９が扉面２９に支持ベース３７を介して同時に当接可能となる。扉１３が閉められた際、扉１３は、枠１７の扉当たり１９に扉面２９が当たる。基部３９は、図９に示すように、扉面２９と扉当たり１９、或いは扉面２９とパッキン２１とに挟まれるが、薄板状に形成されることで移動が可能となる。
【００４２】
閉扉状態において、チリ１５は外方から視認されなくなる。このチリ１５には測定子４１が、外周端面２３に当接した状態で配置される。また、測定子４１を外周端面２３に当接したＬ字計測治具３５は、基部３９が扉面２９に宛がわれた状態で視認可能となる。これにより、扉１３に対するＬ字計測治具３５の基準位置が特定される。この状態から、Ｌ字計測治具３５は、測定子４１が扉対向面２５または対震ストライク５５に当たるまで直線移動される。Ｌ字計測治具３５が直線移動されることで、基部３９は、基準位置からチリ１５の分、移動された移動位置に配置されることになる。
【００４３】
このチリ測定装置１１を使用したチリ測定方法では、図８に示すように、先ず、扉開放時にＬ字計測治具３５の測定子４１を扉１３の戸先などの外周端面２３に当てて扉１３に対するＬ字計測治具３５の基準位置を定める。基準位置は指針５３が一致する目盛り５１によって読み取る。その後、図９に示すように、扉１３を枠１７に閉める。
【００４４】
扉１３を閉めた後、図１０に示すように、Ｌ字計測治具３５の基部３９を扉面２９と平行に移動して測定子４１を枠１７の扉対向面２５若しくは扉対向面２５に設けられる係止板部５９に当てて扉１３に対するＬ字計測治具３５の移動位置を定める。移動位置は指針５３が一致する目盛り５１によって読み取る。最後に、基準位置から移動位置までの距離を求めることによって、外方から視認できない外周端面２３と扉対向面２５までのチリ１５を求めることができる。
【００４５】
なお、基準位置と移動位置とを定める手順は、上記に限定されることはなく、Ｌ字計測治具３５の測定子４１が、閉扉時において扉１３の外周端面２３と枠１７の扉対向面２５若しくは扉対向面２５に設けられるストライク５５とのチリ１５に位置していればよく、測定子４１を閉扉時のチリ１５に配置した後、この測定子４１を扉１３の外周端面２３或いは枠１７の扉対向面２５若しくはストライク５５に当てて、そのいずれか一方を基準位置とし、その後、対向する位置へ測定子４１を移動して移動位置とし距離を求めることとすればよい。すなわち、測定子４１を、外方から視認できないチリ１５に配置し、基部３９を移動させて、その移動範囲である距離を計測することでチリ１５の間隔距離が求められることとなる。
【００４６】
図１１（ａ）は支持ベース３７にＬ字当接片４９が無いチリ測定装置１１の変形例の斜視図、（ｂ）は（ａ）の目盛り５１の位置が異なるチリ測定装置１１の変形例の斜視図、（ｃ）は目盛り５１が支持ベース３７に設けられるチリ測定装置１１の斜視図、（ｄ）は目盛り５１が基部３９に設けられるチリ測定装置１１の斜視図である。
図１１（ａ）〜（ｄ）に示すように、支持ベース３７は、Ｌ字当接片４９を省略した矩形板であってもよい。この変形例によれば、Ｌ字当接片４９と他部材との干渉を避けて、作業性が良好となる。
【００４７】
また、指針５３と目盛り５１とは、図１１（ｃ）に示すように、指針５３を基部３９、目盛り５１をベース基部４３に設けても良く、図１１（ｄ）に示すように、指針５３をベース基部４３、目盛り５１を基部３９に設けてもよい。例えば図１１（ｃ）の指針５３を基部３９に設けた構成では、支持ベース３７が扉１３に固定され、Ｌ字計測治具３５が測定子４１を扉１３の外周端面２３に当てることで、Ｌ字計測治具３５の基準位置（指針５３）が目盛り５１によって読み取られる。次いで、Ｌ字計測治具３５の測定子４１が扉対向面２５に当たる位置まで移動された移動位置（指針５３）が目盛り５１によって読み取られる。これら読み取られた値の差を求めることでチリ１５が得られる。これにより、基部３９と支持ベース３７との相対変位量、すなわちチリ１５を、メジャー等の他の計測具を使用せずに容易に求めることができる。
【００４８】
図１２は屋内用として使用される基本構成のチリ測定装置６１の斜視図である。
上記したチリ測定装置１１は、支持ベース３７を省略したＬ字計測治具３５のみのチリ測定装置６１とすることもできる。つまり、チリ測定装置６１は、Ｌ字計測治具３５の基部３９と、基部３９の先端折曲側に形成され外方から視認できない外周端面２３と扉対向面２５との間に挿入される測定子４１と、を具備して構成できる。
【００４９】
このチリ測定装置６１を使用したチリ測定方法では、基部３９を扉面２９に当接し、扉１３を閉める。測定子４１は、外周端面２３と扉対向面２５との間に配置される。扉１３を閉めたまま扉１３に対するＬ字計測治具３５の基準位置を定める。例えば基部３９の特定位置である端縁６３に一致する基準位置を扉面２９に記す。次いで、Ｌ字計測治具３５を枠１７に接近する方向に直線移動して測定子４１を枠１７の扉対向面２５に当てる。そのときの基部３９における上記の端縁６３を扉面２９に移動位置として記す。これにより、視認できないチリ１５であっても、チリ１５が基準位置と移動位置との間に転記される。基準位置と移動位置との間の距離は、例えばメジャーによって計測することで、チリ１５が求められる。
【００５０】
図１３は屋外用として使用される基本構成のチリ測定装置６５の斜視図である。
チリ測定装置６５は、Ｌ字計測治具６７が単体で用いられる。Ｌ字計測治具６７は、基部３９と測定子４１との間に、扉１３から扉面２９と平行に突出する鍔部３１を跨ぐＵ字状に折り曲げ形成される回避部６９を有する。なお、このＬ字計測治具６７は、後述するチリ測定装置７１の主要部として使用することとしてもよい。
【００５１】
チリ測定装置６５は、屋外側の扉面２９にＬ字計測治具６７の基部３９が宛がわれ、基部３９に設けられるＵ字状の回避部６９が、扉面２９から平行に突出した鍔部３１を囲むようにして跨ぐ。これにより、回避部６９の先端側に設けられた測定子４１が、鍔部３１によって視認されなくなったチリ１５に配置可能となる。鍔部３１によってチリ１５が扉１３の屋外側から視認できない場合であっても、鍔部３１を跨いでＬ字計測治具６７の測定子４１を扉１３の屋外側からチリ１５に配置できる。
【００５２】
次に、上記のＬ字計測治具６７が主要部の本発明に係る他の実施形態に係るチリ測定装置７１を説明する。
図１４（ａ）は他の実施例に係る屋外用のチリ測定装置７１を表面側から見た斜視図、（ｂ）は（ａ）を背面側から見た斜視図、図１５は図１４のチリ測定装置７１を扉１３と枠１７とともに表した平断面図、図１６は図１５の正面図である。なお、図１〜図１３に示した部材と同一の部材には同一の符号を付して重複する説明は省略する。
チリ測定装置７１は、Ｌ字計測治具６７と支持ベース７３とを組み合わせて構成される。支持ベース７３は、ベース基部４３とＬ字当接片４９との間に、扉１３から扉面２９と平行に突出する鍔部３１を跨ぐＵ字状に折り曲げられる回避部６９が設けられている。つまり、チリ測定装置７１では、Ｌ字計測治具６７と支持ベース７３との双方に回避部６９が設けられている。
【００５３】
次に、チリ測定装置７１を使用したチリ測定方法を説明する。
図１７は屋外側の扉面２９に取り付けられた回避部６９を備えるチリ測定装置７１の動作説明図、図１８はＬ字計測治具スライド途中の図１７に示したチリ測定装置７１の動作説明図である。
【００５４】
図１７に示すように、チリ測定装置７１を使用したチリ測定方法では、屋外側の扉面２９に支持ベース７３のベース基部４３が宛がわれ、ベース基部４３に設けられるＵ字状の回避部６９が、扉面２９から平行に突出した鍔部３１を囲むようにして跨ぐ。これにより、回避部６９の先端側に設けられたＬ字当接片４９が、鍔部３１によって視認されなくなったチリ１５に配置可能となる。
【００５５】
この状態で、支持ベース７３は、Ｌ字当接片４９を扉１３の戸先などの外周端面２３に当てる。Ｌ字計測治具６７は、測定子４１をＬ字当接片４９に当てる。これにより、扉１３に対するＬ字計測治具６７の基準位置を定める。次いで、Ｌ字計測治具６７の基部３９を扉面２９と平行に移動して測定子４１を枠１７の扉対向面２５に当てて扉１３に対するＬ字計測治具６７の移動位置を定める。最後に、基準位置から移動位置までの距離を求めることによって、外方から視認できない外周端面２３と扉対向面２５までのチリ１５を求めることができる。
【００５６】
このチリ測定装置７１によれば、鍔部３１によって扉１３の外周端面２３が扉１３の屋外側から視認できない場合であっても、鍔部３１を跨いで支持ベース７３のＬ字当接片４９を屋外側から扉１３の外周端面２３に当てることができる。
【００５７】
図１９は対震ストライク５５が設けられた場合のチリ近傍の平断面図、図２０は図１９の正面図である。
対震ストライク５５が設けられたチリ１５を扉１３の屋外側から計測する場合にもチリ測定装置７１を好適に用いることができる。この場合も屋外側の扉面２９に支持ベース７３のベース基部４３が宛がわれ、ベース基部４３に設けられるＵ字状の回避部６９が、鍔部３１を囲むようにして跨ぐ。この状態で、支持ベース７３は、Ｌ字当接片４９を扉１３の外周端面２３に当てる。Ｌ字計測治具６７は、測定子４１をＬ字当接片４９に当てる。これにより、扉１３に対するＬ字計測治具６７の基準位置を定める。次いで、Ｌ字計測治具６７の基部３９を扉面２９と平行に移動して測定子４１を対震ストライク５５の係止板部５９に当てて扉１３に対するＬ字計測治具６７の移動位置を定める。最後に、基準位置から移動位置までの距離を求めることによって、外方から視認できない外周端面２３と対震ストライク５５の係止板部５９までのチリ１５を求めることができる。
【００５８】
従って、本実施形態に係るチリ測定方法及びチリ測定装置１１、チリ測定装置６１、チリ測定装置６５、チリ測定装置７１によれば、覆われて外方から視認できないチリ１５を直接、高精度に、且つ容易に計測できる。
【符号の説明】
【００５９】
１１，６１，６５，７１…チリ測定装置
１３…扉
１５…チリ
１７…枠
２３…外周端面
２５…扉対向面
２９…扉面
３１…鍔部
３５，６７…Ｌ字計測治具
３７，７３…支持ベース
３９…基部
４１…測定子
４３…ベース基部
４９…Ｌ字当接片
５１…目盛り
５５…ストライク（対震ストライク）
６９…回避部
【図１】
2013134121.tif 000003
【図２】
2013134121.tif 000004
【図３】
2013134121.tif 000005
【図４】
2013134121.tif 000006
【図５】
2013134121.tif 000007
【図６】
2013134121.tif 000008
【図７】
2013134121.tif 000009
【図８】
2013134121.tif 000010
【図９】
2013134121.tif 000011
【図１０】
2013134121.tif 000012
【図１１】
2013134121.tif 000013
【図１２】
2013134121.tif 000014
【図１３】
2013134121.tif 000015
【図１４】
2013134121.tif 000016
【図１５】
2013134121.tif 000017
【図１６】
2013134121.tif 000018
【図１７】
2013134121.tif 000019
【図１８】
2013134121.tif 000020
【図１９】
2013134121.tif 000021
【図２０】
2013134121.tif 000022